(57)【要約】  【課題】  ユーザ登録時におけるユーザ負担を軽減することのできる登録管理装置、登録管理プログラムを提供する。  【解決手段】  登録対象となる製品に関する製品情報を取得する情報取得部と、前記情報取得部により取得した製品情報に基づいて、前記製品の正規登録の可否を判定する正規登録可否判定部と、前記製品を仮登録する条件を規定する仮登録条件情報を格納する条件情報記憶部と、前記正規登録可否判定部において正規登録不可と判定された前記製品の製品情報が前記仮登録条件に該当する場合、前記製品を仮登録する仮登録部とを備えてなる。  【選択図】  図２
2005107616.tif 000002
【特許請求の範囲】
【請求項１】
登録対象となる製品に関する製品情報を取得する情報取得部と、
前記情報取得部により取得した製品情報に基づいて、前記製品の正規登録の可否を判定する正規登録可否判定部と、
前記製品を仮登録する条件を規定する仮登録条件情報を格納する条件情報記憶部と、
前記正規登録可否判定部において正規登録不可と判定された前記製品の製品情報が前記仮登録条件に該当する場合、前記製品を仮登録する仮登録部と
を備えてなる登録管理装置。
【請求項２】
請求項１に記載の登録管理装置において、
前記仮登録部による仮登録処理に関する履歴情報を格納する履歴情報記憶部と、
前記格納される履歴情報に基づいて前記仮登録条件情報を更新する情報更新部とを有する登録管理装置。
【請求項３】
請求項１に記載の登録管理装置において、
前記仮登録条件情報は少なくとも製品のＩＤ情報を含む登録管理装置。
【請求項４】
請求項１に記載の登録管理装置において、
前記仮登録条件情報は少なくとも前記製品の仮登録の可否を判定するのに必要な条件を規定する情報を含む登録管理装置。
【請求項５】
製品に関する登録管理をコンピュータに実行させる登録管理プログラムであって、
登録対象となる製品に関する製品情報を取得する情報取得ステップと、
前記情報取得ステップにおいて取得した製品情報に基づいて、前記製品の正規登録の可否を判定する正規登録可否判定ステップと、
前記製品を仮登録する条件を規定する仮登録条件情報を格納する条件情報記憶ステップと、
前記正規登録可否判定ステップにおいて正規登録不可と判定された前記製品の製品情報が前記仮登録条件に該当する場合、前記製品を仮登録する仮登録ステップと
をコンピュータに実行させる登録管理プログラム。
【発明の詳細な説明】
【技術分野】
【０００１】
本発明は、製品に関する登録管理を行う登録管理装置、登録管理プログラムに関するものである。
【背景技術】
【０００２】
固有のＩＤ（以下、製品ＩＤ）を持つ製品のオンラインサポートを行うために、ユーザからリモートセンタ側に、電子メールやＷＥＢを用いた初期ユーザ登録（レジストレーション）を行い製品ＩＤ等のサポートに必要な顧客情報を送信する場合がある。
【０００３】
リモートセンタ側ではこの送信されてきた製品ＩＤが不正なものでないかどうか、また当該ＩＤの製品が出荷されたものとして登録（出荷情報登録）されているかどうかといったチェックを行い、正当な（出荷されたものとして所定のデータベースに登録されている）ＩＤが送信されてきたと判断された場合にのみユーザ登録を認めていた（例えば、特許文献１および２参照。）。
【特許文献１】特開平１０−３４０２５３号公報  （第３―５頁、第２図）
【特許文献２】特開２００２−２３６６８３号公報  （第６―９頁、第１図）
【発明の開示】
【発明が解決しようとする課題】
【０００４】
しかし、この製品ＩＤは人によって製品ごとに付与されるものであり、作業者のミスによって正当でないＩＤが付されることがある。また、同様に出荷情報登録も人によって行われる処理であり、作業者のミスにより正当でない情報が登録されることもある。
【０００５】
このようなミスがあった場合、ユーザが正しい手順によって製品ＩＤを送信して初期ユーザ登録しようとしても、登録されている出荷情報とユーザの手元にある製品のＩＤとが一致しないため、リモートセンタ側からユーザ登録を拒否されてしまう。このような場合、出荷情報等を正しく登録し直した上でユーザが再度ユーザ登録を行わなければならず、ユーザ登録の完了を遅延させ、ユーザに負担となっていた。
【０００６】
本発明は上述した問題点を解決するためになされたものであり、ユーザ登録時におけるユーザ負担を軽減することのできる登録管理装置、登録管理プログラムを提供することを目的とする。
【課題を解決するための手段】
【０００７】
上述した課題を解決するため、本発明に係る登録管理装置は、登録対象となる製品に関する製品情報を取得する情報取得部と、前記情報取得部により取得した製品情報に基づいて、前記製品の正規登録の可否を判定する正規登録可否判定部と、前記製品を仮登録する条件を規定する仮登録条件情報を格納する条件情報記憶部と、前記正規登録可否判定部において正規登録不可と判定された前記製品の製品情報が前記仮登録条件に該当する場合、前記製品を仮登録する仮登録部とを備えてなることを特徴とするものである。
【０００８】
このような構成によれば、製品へのＩＤの付与や出荷情報の登録にミスがあったことにより正規登録できない場合でも、所定の条件を満たす製品情報を有する製品には仮登録を認めるようにすることにより、ユーザが直ぐに再登録手続を求められることはなくなり、ユーザの負担を軽減することができる。
【０００９】
また、上述のような登録管理装置において、前記仮登録部による仮登録処理に関する履歴情報を格納する履歴情報記憶部と、前記格納される履歴情報に基づいて前記仮登録条件情報を更新する情報更新部とを有する構成とすることが好ましい。
【００１０】
このような構成によれば、仮登録を行う必要がある（すなわち、装置へのＩＤ付与や出荷情報の登録にミスがある可能性がある）製品に関する情報として蓄積されてゆく履歴情報を仮登録条件にフィードバックすることができ、登録処理を繰り返すに伴って、より正確な仮登録可否の判定を行うことが可能となるという効果を奏する。
【００１１】
また、上述のような登録管理装置において、前記仮登録条件情報は少なくとも製品のＩＤ情報を含んでいることが望ましいが、これに限られるものではなく、少なくとも前記製品の仮登録の可否を判定するのに必要な条件を規定する情報を含んでいる構成であってもよい。
【００１２】
このように、製品のＩＤ情報を含む構成とすれば、仮登録の可否を個々の製品に対して具体的に規定することが可能となる。また、製品の仮登録の可否を判定するのに必要な条件を規定する情報を含む構成とすれば、例えば、この生産ラインで製造された製品、この日に製造された製品といったような任意のフィルタリングをかけることが可能となり、柔軟な仮登録可否の判定を行うことが可能となる。
【００１３】
この他、上述のような登録管理装置において、前記製品情報は製品ＩＤである構成としてもよい。
【００１４】
また、本発明に係る登録管理プログラムは、製品に関する登録管理をコンピュータに実行させる登録管理プログラムであって、登録対象となる製品に関する製品情報を取得する情報取得ステップと、前記情報取得ステップにおいて取得した製品情報に基づいて、前記製品の正規登録の可否を判定する正規登録可否判定ステップと、前記製品を仮登録する条件を規定する仮登録条件情報を格納する条件情報記憶ステップと、前記正規登録可否判定ステップにおいて正規登録不可と判定された前記製品の製品情報が前記仮登録条件に該当する場合、前記製品を仮登録する仮登録ステップとをコンピュータに実行させる構成となっている。
【００１５】
上述のような登録管理プログラムにおいて、前記仮登録ステップにおける仮登録処理に関する履歴情報を格納する履歴情報記憶ステップと、前記格納される履歴情報に基づいて前記仮登録条件情報を更新する情報更新ステップとを有する構成とすることが好ましい。
【００１６】
また、本発明に係る登録管理方法は、登録対象となる製品に関する製品情報を取得する情報取得ステップと、前記情報取得ステップにおいて取得した製品情報に基づいて、前記製品の正規登録の可否を判定する正規登録可否判定ステップと、前記製品を仮登録する条件を規定する仮登録条件情報を格納する条件情報記憶ステップと、前記正規登録可否判定ステップにおいて正規登録不可と判定された前記製品の製品情報が前記仮登録条件に該当する場合、前記製品を仮登録する仮登録ステップと有する構成となっている。
【００１７】
なお、上述のような登録管理方法において、前記仮登録ステップにおける仮登録処理に関する履歴情報を格納する履歴情報記憶ステップと、前記格納される履歴情報に基づいて前記仮登録条件情報を更新する情報更新ステップとを有する構成とすることもできる。
【発明の効果】
【００１８】
本発明によれば、ユーザ登録時におけるユーザ負担を軽減することのできる登録管理装置、登録管理プログラムを提供することができる。
【発明を実施するための最良の形態】
【００１９】
以下、本発明の実施の形態について図面を参照しつつ説明する。
【００２０】
図１は本発明の実施の形態を示す機能ブロック図である。図１において、リモートセンタ（登録管理装置）２０１は、登録部（情報取得部、正規登録可否判定部、仮登録部、情報更新部としての役割を有する）２０２、ＤＢ（データベース）２０５、設定ファイル（仮登録条件情報）２０６を格納する条件情報記憶部２０７、およびシステムログ（履歴情報）２０４を格納する履歴情報記憶部２０８から構成されている。
【００２１】
この登録管理装置２０１に対し、登録対象となる製品１０１、サポートセンタ３０１、出荷情報登録ＤＢ（データベース）４０１が通信可能に接続されており、製品１０１を所有するユーザは、この通信回線を介してオンラインでのユーザ登録が可能となっている。なお、ここでは一人のユーザからのユーザ登録を受けている構成としているが、登録管理装置２０１が同時に複数人のユーザからのオンラインユーザ登録に対処可能であることは言うまでもない。
【００２２】
製品１０１には、作業者により工場出荷時にそれぞれ固有の製品ＩＤ１０２が付与されている。
【００２３】
サポートセンタ３０１は、登録管理装置２０１から送信される情報に基づいて、製品に関するユーザサポートの管理を行う役割を有する。
【００２４】
出荷情報登録ＤＢ４０１は、工場から出荷された製品の製品ＩＤ等が出荷情報として登録されているデータベースであり、製品の工場からの出荷時に作業者による出荷情報登録を受け付ける。なお、ここでは出荷情報登録ＤＢ４０１は登録管理装置２０１とは別体となっているが、これに限らず一体となっている構成であってもよい。
【００２５】
次に、本実施の形態による登録管理装置２０１の動作について図２および図３に示すフローチャートを用いて説明する。
【００２６】
まず登録部２０２が、製品１０１側から送信された製品ＩＤ（製品情報に相当）１０２を取得（情報取得ステップ）する（Ｓ１１）。
【００２７】
次に登録部２０２が、取得した製品ＩＤ１０２が不正なものでないかどうかを判定する（Ｓ１２）。具体的には、製品ＩＤ１０２は、例えば「型名」「型名とシリアルＮｏとから生成される文字列」「シリアルＮｏ」等の情報から構成されている。ここで「型名」とは例えば製品の名称等が該当する。「シリアルＮｏ」とは、それぞれの製品毎につけられるものであり、例えば製造年月日、ロットＮｏなどを特定する文字列から構成される。「型名とシリアルＮｏとから生成される文字列」とは、上述の「型名」と「シリアルＮｏ」とを所定の演算処理（演算内容はユーザ側には非公開）にかけることにより得られるものであり、これによって、ある型名の製品に対して不正なシリアルＮｏを付加してユーザ登録を行おうとしているものか否かを判定することが可能となる。
【００２８】
ここで取得した製品ＩＤが不正であると判定された場合（Ｓ１２，異常）、当該製品についての登録は行わない（Ｓ１３）。
【００２９】
一方、取得した製品ＩＤが正当なものであると判定された場合（Ｓ１２，正常）、登録部２０２により当該製品ＩＤが出荷情報登録ＤＢ４０１に登録されているか否かをチェック（正規登録可否判定ステップ）する（Ｓ１４）。
【００３０】
ここで、当該製品ＩＤが出荷情報登録ＤＢ４０１に登録されていれば（Ｓ１４，Ｙｅｓ）、製品ＩＤは確認できたものとして（Ｓ１ｂ）、ＤＢ２０５に正式登録する（Ｓ１ｃ）。尚、登録部２０２において製品ＩＤ１０２と共にユーザの連絡先等の情報を取得する構成としている場合には、これらの情報も製品ＩＤと共にＤＢ２０５に登録するようにしてもよい。
【００３１】
その後、登録部２０２はサポートセンタ３０１に対し、当該製品ＩＤの製品が正式登録された旨を通知する（Ｓ１ｄ）。
【００３２】
一方、当該製品ＩＤが出荷情報登録ＤＢ４０１に登録されていなかった場合（Ｓ１４，Ｎｏ）、設定ファイル（仮登録条件）２０６に規定されている製品を仮登録する条件に当該製品ＩＤが該当しているか否かを判定する（Ｓ１５）。
【００３３】
設定ファイル２０６には、例えば正当でないＩＤが付されている可能性のある（ＩＤ付与にミスがあった可能性のある）製品のＩＤを列記してもよいし、過去にＩＤ付与ミスのあった生産ラインで製造された製品については同様にＩＤ付与ミスがある可能性が高いと考えて、その生産ラインを示すロットＮｏを含むＩＤの製品を選別するようなフィルタリング条件（すなわち、製品の仮登録の可否を判定するのに必要な条件を規定する情報）を規定しておいてもよい。もちろん、同様に製造年月日等によるフィルタリングをかける（そのようなフィルタリング条件を設定ファイルに設定しておく）ことも可能である（条件情報記憶ステップ）。
【００３４】
判定の結果、当該製品ＩＤが該当していない場合（Ｓ１５，Ｎｏ）、当該製品についてはＩＤ付与ミス等が生じている可能性が低いと考えられるため、製品ＩＤ未確認として登録は行わない（Ｓ１６）。
【００３５】
一方、判定の結果、当該製品ＩＤが該当していた場合（Ｓ１５，Ｙｅｓ）、当該ＩＤについて仮登録を行う旨のシステムログを出力し、履歴情報記憶部２０８に格納されているシステムログ（履歴情報）２０４に追加する（Ｓ１７）。
【００３６】
そして、当該製品ＩＤは確認できたものとして（Ｓ１８）、当該ＩＤの製品をＤＢ２０５に仮登録（仮登録ステップ）する（Ｓ１９）。
【００３７】
その後、登録部２０２はサポートセンタ３０１に対し、当該製品ＩＤの製品が仮登録された旨を通知する（Ｓ１ａ）。
【００３８】
このようにして製品の仮登録が行われると、この仮登録が行われた日から設定ファイル２０６に予め規定されている所定の仮登録期間がカウントされる（なお、所定の仮登録期間は任意に設定することが可能となっている。）。この仮登録期間内に出荷情報登録ＤＢ４０１に対して正しい装置ＩＤが再度登録されないまま仮登録期間を過ぎた場合、当該仮登録は仮登録期間超過として仮登録状態を解除される。また、仮登録期間超過した旨はシステムログ２０４に書き込まれる。
【００３９】
一方、図３に示されるように、この仮登録期間内に出荷情報登録ＤＢ４０１に対して装置ＩＤが登録されると（Ｓ３１）、登録部２０２は当該装置ＩＤがシステムログ２０４に記録済みの仮登録されているいずれかの装置の装置ＩＤに該当するか否かを判定する（Ｓ３２）。
【００４０】
ここで当該装置ＩＤが、システムログ２０４に記録済みの仮登録されているいずれの装置の装置ＩＤにも該当しない場合（Ｓ３２，Ｎｏ）、当該登録は単なる工場出荷時の登録である（製品の工場出荷時における装置ＩＤの登録）と判定する（Ｓ３３）。
【００４１】
一方、当該装置ＩＤが、システムログ２０４に記録済みの仮登録されているいずれかの装置の装置ＩＤに該当した場合（Ｓ３２，Ｙｅｓ）、当該登録は仮登録されている装置について誤って登録された装置ＩＤを訂正するためのものであると判定し、ＤＢ２０５において当該装置ＩＤについて行われている仮登録を正式登録に移行させる（Ｓ３４）。
【００４２】
そして、当該装置ＩＤについての正式登録をシステムログ２０４に追加する（Ｓ３５）。登録部２０２はサポートセンタ３０１に対し、当該製品ＩＤの製品が正式登録された旨を通知する（Ｓ３６）。
【００４３】
以上のように、本実施の形態による登録管理装置は、登録対象となる製品に関する製品情報を取得する情報取得部と、情報取得部により取得した製品情報に基づいて、製品の正規登録の可否を判定する正規登録可否判定部と、製品を仮登録する条件を規定する仮登録条件情報を格納する条件情報記憶部と、正規登録可否判定部において正規登録不可と判定された製品の製品情報が仮登録条件に該当する場合、製品を仮登録する仮登録部とを備えてなる構成となっている。
【００４４】
なお、ここでの設定ファイル２０４には初めから過去にＩＤ付与ミス等があったケースについては同様なミスがある可能性が高いものとして、具体的な装置ＩＤやフィルタリング条件が規定されているが、製品の性質によっては時期等によってＩＤ付与ミスの発生頻度が変化するケースもあり得る。
【００４５】
このような場合には、現在の設定ファイル２０６に規定されている仮登録条件に対し、登録部２０２によってシステムログ２０４に記録されている過去に仮登録を行った装置に関する情報を付加してゆく（情報更新部としての役割）ことにより（情報更新ステップ）、時間とともに仮登録条件によってＩＤ付与ミス等がある可能性のある装置を選別する精度を向上させてゆくことが可能となる。
【００４６】
すなわち、本実施の形態による登録管理装置は、仮登録部による仮登録処理に関する履歴情報を格納する履歴情報記憶部と、格納される履歴情報に基づいて仮登録条件情報を更新する情報更新部とを備えている。
【００４７】
換言すれば、仮登録を行う必要がある（すなわち、装置へのＩＤ付与や出荷情報の登録にミスがある可能性がある）製品に関する情報として蓄積されてゆく履歴情報を仮登録条件にフィードバックすることができ、登録処理を繰り返す毎により正確な仮登録可否の判定を行うことが可能となる
また、上述した情報取得ステップから仮登録ステップまで、履歴情報記憶ステップおよび情報更新ステップにより、登録管理方法が構成されている。具体的には、登録対象となる製品に関する製品情報を取得する情報取得ステップと、前記情報取得ステップにおいて取得した製品情報に基づいて、前記製品の正規登録の可否を判定する正規登録可否判定ステップと、前記製品を仮登録する条件を規定する仮登録条件情報を格納する条件情報記憶ステップと、前記正規登録可否判定ステップにおいて正規登録不可と判定された前記製品の製品情報が前記仮登録条件に該当する場合、前記製品を仮登録する仮登録ステップとを有する。
【００４８】
また、このような登録管理方法において、前記仮登録ステップにおける仮登録処理に関する履歴情報を格納する履歴情報記憶ステップと、前記格納される履歴情報に基づいて前記仮登録条件情報を更新する情報更新ステップとを有している。
【００４９】
続いて、本発明の実施の形態による登録管理プログラムについて説明する。
【００５０】
本実施の形態による登録管理装置２０１は、不図示のＣＰＵおよび不図示の記憶部を有しており、本実施の形態による登録管理方法は、上述のような各ステップを実現するための登録管理プログラムを不図示のＣＰＵに実行させることにより実現される。当該プログラムは、不図示の記憶部に格納されている。
【００５１】
この不図示の記憶部としては、ＨＤＤ、ＲＯＭ、ＣＤ−ＲＯＭ、ＤＶＤ、ＦＤ等の記憶媒体を利用可能である。もちろん、この不図示の記憶部を登録管理装置内に配置せずに、登録管理装置２０１とネットワーク接続された外部機器に配置し、この外部機器から当該プログラムをダウンロードすることによって実行する構成としてもよい。
【００５２】
具体的に、本実施の形態による登録管理プログラムは、製品に関する登録管理をコンピュータに実行させる登録管理プログラムであって、登録対象となる製品に関する製品情報を取得する情報取得ステップと、前記情報取得ステップにおいて取得した製品情報に基づいて、前記製品の正規登録の可否を判定する正規登録可否判定ステップと、前記製品を仮登録する条件を規定する仮登録条件情報を格納する条件情報記憶ステップと、前記正規登録可否判定ステップにおいて正規登録不可と判定された前記製品の製品情報が前記仮登録条件に該当する場合、前記製品を仮登録する仮登録ステップとをコンピュータに実行させる構成となっている。
【００５３】
また、この登録管理プログラムは、前記仮登録ステップにおける仮登録処理に関する履歴情報を格納する履歴情報記憶ステップと、前記格納される履歴情報に基づいて前記仮登録条件情報を更新する情報更新ステップとを有する構成であることが好ましい。
【００５４】
この他、本実施の形態においては、登録部は、情報取得部、正規登録可否判定部、仮登録部、情報更新部としての役割を有するものとしているが、これに限られるものではなく、それぞれの機能を有する複数の構成要素が別個に登録管理装置に備わっている構成であってもよい。
（付記１）登録対象となる製品に関する製品情報を取得する情報取得部と、
前記情報取得部により取得した製品情報に基づいて、前記製品の正規登録の可否を判定する正規登録可否判定部と、
前記製品を仮登録する条件を規定する仮登録条件情報を格納する条件情報記憶部と、
前記正規登録可否判定部において正規登録不可と判定された前記製品の製品情報が前記仮登録条件に該当する場合、前記製品を仮登録する仮登録部と
を備えてなる登録管理装置。
（付記２）付記１に記載の登録管理装置において、
前記仮登録部による仮登録処理に関する履歴情報を格納する履歴情報記憶部と、
前記格納される履歴情報に基づいて前記仮登録条件情報を更新する情報更新部とを有する登録管理装置。
（付記３）付記１に記載の登録管理装置において、
前記仮登録条件情報は少なくとも製品のＩＤ情報を含む登録管理装置。
（付記４）付記１に記載の登録管理装置において、
前記仮登録条件情報は少なくとも前記製品の仮登録の可否を判定するのに必要な条件を規定する情報を含む登録管理装置。
（付記５）付記１に記載の登録管理装置において、
前記製品情報は製品ＩＤである登録管理装置。
（付記６）製品に関する登録管理をコンピュータに実行させる登録管理プログラムであって、
登録対象となる製品に関する製品情報を取得する情報取得ステップと、
前記情報取得ステップにおいて取得した製品情報に基づいて、前記製品の正規登録の可否を判定する正規登録可否判定ステップと、
前記製品を仮登録する条件を規定する仮登録条件情報を格納する条件情報記憶ステップと、
前記正規登録可否判定ステップにおいて正規登録不可と判定された前記製品の製品情報が前記仮登録条件に該当する場合、前記製品を仮登録する仮登録ステップと
をコンピュータに実行させる登録管理プログラム。
（付記７）付記６に記載の登録管理プログラムにおいて、
前記仮登録ステップにおける仮登録処理に関する履歴情報を格納する履歴情報記憶ステップと、
前記格納される履歴情報に基づいて前記仮登録条件情報を更新する情報更新ステップとを有する登録管理プログラム。
（付記８）登録対象となる製品に関する製品情報を取得する情報取得ステップと、
前記情報取得ステップにおいて取得した製品情報に基づいて、前記製品の正規登録の可否を判定する正規登録可否判定ステップと、
前記製品を仮登録する条件を規定する仮登録条件情報を格納する条件情報記憶ステップと、
前記正規登録可否判定ステップにおいて正規登録不可と判定された前記製品の製品情報が前記仮登録条件に該当する場合、前記製品を仮登録する仮登録ステップとを有する登録管理方法。
（付記９）
付記８に記載の登録管理方法において、
前記仮登録ステップにおける仮登録処理に関する履歴情報を格納する履歴情報記憶ステップと、
前記格納される履歴情報に基づいて前記仮登録条件情報を更新する情報更新ステップとを有する登録管理方法。
【図面の簡単な説明】
【００５５】
【図１】本発明の実施の形態による登録管理装置について説明するための機能ブロック図である。
【図２】本実施の形態による登録管理装置について説明するためのフローチャートである。
【図３】本実施の形態による登録管理装置について説明するためのフローチャートである。
【符号の説明】
【００５６】
１０１  製品、１０２  製品ＩＤ、２０１  リモートセンタ（登録管理装置）、２０２  登録部、２０６  設定ファイル、３０１  サポートセンタ、４０１  出荷情報登録ＤＢ。
【図１】
2005107616.tif 000003
【図２】
2005107616.tif 000004
【図３】
2005107616.tif 000005